(57)【要約】      （修正有）【課題】シリンジから送達される媒体の量を限定するリミッターを提供する。【解決手段】リミッター１０は、分配デバイス３００の少なくとも一部を据え付けるように配列された本体２０と、本体から延在する止め具４０とを含む。止め具は、分配デバイスのプランジャー３０４を分配デバイスから送達される媒体の所望の容量に相関させて、分配方向に所定の距離を移動するように構成されている。止め具は、プランジャーの分配方向への更なる移動を防ぎ、それにより分配デバイスから送達される媒体の量を限定するように構成されている。分配デバイスは、シリンジであってもよい。【選択図】図４
2019069261.tif 000002
【特許請求の範囲】
【請求項１】
分配デバイスのバレルの少なくとも一部と共に据え付けるように構成および配列された本体と；
前記本体から延在する止め具と、
を含む分配デバイスのためのリミッターであって、
前記止め具が、前記分配デバイスのプランジャーを、前記分配デバイスから送達される媒体の所望の容量に相関させて、分配方向に所定の距離、移動させるように構成されており、
前記止め具が、前記プランジャーの分配方向への更なる移動を防ぎ、それにより前記分配デバイスから送達される媒体の量を限定するように構成されている、分配デバイスのためのリミッター。
【請求項２】
前記本体が、前記分配デバイスのバレルの少なくとも一部を保持するように構成および配列されていて、第一の端部および第二の端部を有するハウジングである、請求項１に記載のリミッター。  
【請求項３】
前記止め具が、前記ハウジングの第一の端部から外方に延在するカラーとして構成および配列されており、前記カラーが、それを通して溝を有し、前記カラーが、前記プランジャーの少なくとも一部を受け留めることで、前記プランジャーが溝内で移動可能であるように構成されている、請求項２に記載のリミッター。
【請求項４】
前記ハウジングの第二の端部が、前記分配デバイスの針が前記ハウジングから延在するように構成された開口部を有する、請求項２に記載のリミッター。
【請求項５】
前記分配デバイスと組み合わせられる、請求項１に記載のリミッター。
【請求項６】
前記分配デバイスが、シリンジである、請求項５に記載のリミッター。
【請求項７】
前記カラーが、実質的にＣ字形である、請求項３に記載のリミッター。
【請求項８】
前記止め具が、前記プランジャーの端部を受け留めるように構成されたソケットを含む、請求項３に記載のリミッター。
【請求項９】
前記ソケットが、実質的にＣ字形である、請求項８に記載のリミッター。
【請求項１０】
前記ハウジングが、受器およびドアを含む、請求項２に記載のリミッター。
【請求項１１】
前記ドアが、受器に枢着式に連結されている、請求項１０に記載のリミッター。
【請求項１２】
前記止め具が、本体と一体として形成されている、請求項１に記載のリミッター。
【請求項１３】
前記ハウジングが、前記分配デバイスを前記ハウジング内に保定するように構成された、少なくとも１つのリブを含む、請求項２に記載のリミッター。
【請求項１４】
前記少なくとも１つのリブが、前記ハウジングの第一の端部に配置された第一のリブと、前記ハウジングの第二の端部の第二のリブ位置と、を含む、請求項１３に記載のリミッター。
【請求項１５】
前記本体が、フィンガーグリップを提供するように構成された少なくとも１つの外方に延在するアームを含む、請求項１に記載のリミッター。
【請求項１６】
前記本体および止め具が、成形されたプラスチックから製造されている、請求項１に記載のリミッター。
【請求項１７】
少なくとも請求項１に記載の第一のリミッターと、請求項１に記載の第二のリミッターと、を含む複数のリミッターを含むキットであって、
前記第一のリミッターの止め具が、プランジャーを、分配方向に第一の所定の距離、移動させるように構成されており、前記第二のリミッターの止め具が、前記プランジャーを、分配方向に第二の所定の距離、移動させるように構成されており、第一の所定の距離が、第二の所定の距離よりも大きい、キット。
【請求項１８】
複数の分配デバイスを更に含む、請求項１７に記載のキット。
【請求項１９】
前記複数の分配デバイスが、シリンジである、請求項１８に記載のキット。
【請求項２０】
分配デバイスの少なくとも一部がリミッターの本体と共に据え付けられていて、止め具が前記本体から延在するように、前記分配デバイスを前記リミッターと共に据え付けること；
前記分配デバイスのプランジャーを、送達される媒体の所望の容量に相関させて、分配方向に所定の距離、移動させて、前記プランジャーが前記止め具に接触するまで媒体を分配すること、
を含む、前記分配デバイスからの液体の分配を限定する方法であって、
前記止め具が、プ前記ランジャーの分配方向への更なる移動を防ぎ、それにより前記分配デバイスから送達される媒体の量を限定するように構成されている、方法。
【請求項２１】
前記分配デバイスをリミッターと共に据え付ける行為が、前記分配デバイスをハウジング内で定置させること、およびドアを前記ハウジング上で枢着式に閉鎖すること、を含む、請求項２０に記載の方法。
【請求項２２】
前記分配デバイスをリミッターと共に据え付ける行為が、前記分配デバイスのプランジャーを、そこを通して溝を有するカラー内に定置させ、それにより前記プランジャーが溝内で移動可能である、請求項２０に記載の方法。
【請求項２３】
前記分配デバイスをリミッターと共に据え付ける行為が、前記分配デバイスを本体に配置された少なくとも１つのリブで保定することを含む、請求項２０に記載の方法。
【発明の詳細な説明】
【技術分野】
【０００１】
分野
本発明は、分配デバイスのためのリミッターに関し、より詳細には分配デバイス、例えばシリンジから送達される媒体の量を限定するリミッターに関する。
【背景技術】
【０００２】
背景
医薬品は、多くの場合、分配デバイス、例えばシリンジを介して患者に分配される。シリンジは、一般に、医薬品を保持するバレルと、バレルの一方の端部に取り付けられていて医薬品を患者に注射する針と、バレルの他方の端部内で滑動可能に受け留められていて医薬品をバレルから針に押出すプランジャーと、を含む。
【０００３】
多くの医薬品は、前もって充填したシリンジに封入されている。前もって充填したシリンジにおいて、シリンジバレルは、医薬品の総量を充填されている。前もって充填したシリンジの針は、典型的には安全キャップで覆われており、そして／または安全キャップと交換される。医薬品を分配するために、針は、バレルの端部に取り付けられており、そして／または安全キャップが、針から取り外され、針が患者に挿入される。患者または介護者は、医薬品の全てが注射されるまで、プランジャーをシリンジのバレル内で滑動させる。
【０００４】
患者が、前もって充填したシリンジ内の医薬品の総量を必要としない、または受けるべきでない状況がある。例えば、患者が、新しい医薬品を開始している場合、医師は、部分用量で開始して、患者の医薬品への適応を補助することを推奨する場合がある。このアプローチは、滴定として公知である。部分用量を投与するために、患者は、バレルを通してプランジャーを一部滑動させるよう指導される。部分用量を分配する場合、シリンジバレルは、患者が参照として用い得る等級目盛表記を含む場合がある。
【発明の概要】
【０００５】
要約
１つの例示的実施形態において、分配デバイスのためのリミッターが、提供される。リミッターは、分配デバイスのバレルの少なくとも一部を据え付けるように配列された本体と、本体から延在する止め具と、を含む。止め具は、分配デバイスのプランジャーを、分配デバイスから送達される媒体の所望の容量に相関させて、分配方向に所定の距離、移動させるように構成されている。止め具は、プランジャーの分配方向への更なる移動を予防し、それにより分配デバイスから送達される媒体の量を限定するように構成されている。
【０００６】
別の例示的実施形態において、複数のリミッターを含むキットが、提供される。第一のリミッターの止め具は、プランジャーを、分配方向に第一の所定の距離、移動させるように構成されており、第二のリミッターの止め具は、プランジャーを、分配方向に第二の所定の距離、移動させるように構成されており、第一の所定の距離は、第二の所定の距離よりも大きい。
【０００７】
更に別の実施形態において、分配デバイスからの液体の分配を限定する方法。該方法は、分配デバイスの少なくとも一部がリミッターの本体に据え付けられていて、止め具が本体から延在するように、分配デバイスをリミッターに据え付けることを含む。該方法は、分配デバイスのプランジャーを、送達される媒体の所望の容量に相関させて分配方向に所定の距離、移動させ、プランジャーが止め具と接触するまで媒体を分配することも含み、止め具は、プランジャーの分配方向への更なる移動を予防し、それにより分配デバイスから送達される媒体の量を限定するように構成されている。
【０００８】
本発明の様々な実施形態は、ある利益をもたらす。全ての本発明の実施形態は、同じ利益を共有するわけではないが、それらが、それらを共有するものは全ての状況下でそれらを共有するわけではない。
【０００９】
本発明の更なる特色および利益、ならびに本発明の態様を組み入れた様々な実施形態の構造を、添付の図面を参照しながら以下に更に詳細に記載する。
【００１０】
本発明の前述および他の目的および利益は、以下の図面からより完全に理解されよう（類似の参照番号は、類似の特徴を呼称する）
【図面の簡単な説明】
【００１１】
【図１】３種の異なるサイズのシリンジ分配デバイスを含む略図である。
【図２】シリンジ分配デバイスの一実施形態の略斜視図である。
【図３】図２のデバイスに挿入されているシリンジの略斜視図である。
【図４】図２のデバイスに挿入されているシリンジの略斜視図である。
【図５】図２のデバイスに挿入されているシリンジの略斜視図である。
【図６】図２のデバイスに挿入されているシリンジの略斜視図である。
【図７】図２のデバイスの一部の詳細図である。
【図８】液体をシリンジから患者に分配するために用いられている図２のデバイスを示す略斜視図である。
【図９】液体をシリンジから患者に分配するために用いられている図２のデバイスを示す略斜視図である。
【図１０】液体をシリンジから患者に分配するために用いられている図２のデバイスを示す略斜視図である。
【発明を実施するための形態】
【００１２】
詳細な記載
本願出願者は、分配デバイスからの媒体の量を正確に分配することが困難となり得ることを認識した。例えば、患者がシリンジで自己注射する場合、患者がシリンジバレルの側面にある表記を見て所望の部分用量を推定することは、困難となり得る。そのような困難さは、医薬品の過小投与または過剰投与のいずれかを導く可能性がある。先に述べられた通り、新しい医薬品が投与されている時に、推奨された部分用量よりも多くを分配すると、望ましくない副反応を導く可能性がある。所望の部分用量よりも少なく分配すると、医薬品の効果を減弱する可能性がある。本願出願者は、これらの困難さの軽減の一助となるデバイスの必要性を認識した。
【００１３】
本発明の態様は、分配デバイスから送達される媒体の量を限定するように構成されたリミッターに関する。以下により詳細に示される通り、リミッターは、媒体の所望の部分用量を分配するように構成されていてもよい。以下の説明は、そのようなリミッターをシリンジと関連づけて記載しているが、リミッターが医薬品を分配する他の分配デバイスと共に使用され得ることも、企図される。更に、以下の説明は、媒体を患者に注射するために用いられる針を有する分配デバイスを記載しているが、針は、全ての実施形態で必要というわけではない。針を用いて患者に注射されることなく、媒体が分配デバイスから排出され得ることが、企図される。例えば媒体は、排出されて、（患者の鼻または口を介して）摂取または吸入されるように構成されていてもよい。
【００１４】
リミッターが、分配デバイスから分配され得る様々なタイプの媒体と関連して用いられ得ることも企図される。例えば一実施形態において、リミッターは、医薬品を分配する分配デバイスと共に使用されるためのものである。医薬品が、例えば液体形態、気体形態、および／または固体形態（粉末形態など）であってもよいことを、当業者は理解するであろう。リミッターが、他の非医薬物質の分配を限定するために用いられてもよく、本発明がそのように限定されないことも認識されるべきである。
【００１５】
更に、リミッターが、容易に取り扱うための手法で構成され得ることが、企図される。リミッターは、手技の巧妙性の低い患者に与えられる医薬品と共に使用するために、構成されていてもよい。つまり、小さな部品を取り扱うことおよび分配デバイスを保持することの両者が、患者にとって困難となり得る場合がある。以下に示す通り一実施形態において、リミッターは、より大きな部品、およびより容易に取り扱うことのできるフィンガーグリップで構成されている。
【００１６】
ここで図を参照すると、図１は、複数のリミッター１０、１００、２００を含むキットを示している。この特定の実施形態において、第一のリミッター１０は、分配デバイス中の媒体の１／４のみを分配するように構成されており、第二のリミッター１００は、分配デバイス中の媒体の１／２を分配するように構成されており、第三の分配デバイス２００は、分配デバイス中の媒体の３／４を分配するように構成されている。以下に議論される通り、キットは、漸増する媒体用量を分配するために用いられ得るリミッターと共に配列されていてもよい。別の実施形態において、リミッター１０、１００、２００が、非限定的に１／３、２／３、および総量をはじめとし、分配デバイス中の異なる量の媒体を分配するように構成されていてもよいことは認識されるべきである。複数のリミッターが提供される場合、用量間の容量変化が、均一である必要がないことは、認識されるべきである。第一のリミッター１０の詳細を、以下により詳細に議論する。第二および第三のリミッター１００、２００は、類似の部品を含んでいてもよい。
【００１７】
図２〜５に示された通り、リミッター１０は、分配デバイス３００から分配される媒体の量を限定するように構成されている。この特定の実施形態において、分配デバイスは、シリンジである。リミッター１０は、分配デバイス３００の少なくとも一部を据え付けるように配列された本体２０を含む。この例示的実施形態において、本体２０は、分配デバイス３００のバレル３０２を据え付けるように配列されている。示された通り、本体２０は、分配デバイス３００のフランジ部分３１０を据え付けるように構成されたスロット３６を含んでいてもよい。スロット３６は、フランジ３１０を受け留めるような寸法および配列になっていてもよい。
【００１８】
止め具４０は、本体２０から延在しており、以下に示される通り止め具４０は、分配デバイスのプランジャー３０４のストローク長さを限定することにより分配される媒体の量を限定するように構成されている。図４、６および７に示された通り、止め具４０は、分配デバイス３００のプランジャー３０４を、分配デバイス３００から送達される媒体の所望の容量に相関させて、分配方向（矢印Ａ参照）に所定の長さＤ、移動させることができる。示された通り、止め具４０は、プランジャー３０４の分配方向Ａへの更なる移動を予防し、それにより分配デバイスから送達される媒体の量を限定するように構成されている。
【００１９】
例示的実施形態において、本体２０は、シリンジバレル３０２の少なくとも一部を保持するように構成されたハウジングであり、止め具４０は、ハウジングの第一の端部２６から外方に延在するカラーとして構成されている。カラーは、溝４２を有してもよく、溝４２は、プランジャー３０４の少なくとも一部を受け留め、プランジャー３０４が溝４２内で移動可能であるように構成されている。この特定の実施形態において、ハウジングの第二の端部２８は、開口部３０を有していて、バレル３０２に連結された針３０６は、ハウジングから延在する。
【００２０】
ハウジングは、受器２２およびドア２４を含んでいてもよい。この例示的実施形態において、ドア２４は、ヒンジ２３を介して受器２２に枢着式に連結されている。ドアは、分配デバイス３００をハウジング内に定置させるために開口していてもよく、ドアは、分配デバイスを受器２２内に保定するために閉鎖して枢着されている。示された通り、ドアは、受器２２内の対応する部品内で嵌合し得る複数の突出部を含んでいて、ドアを閉鎖位置でロックしてもよい。別の実施形態において、ドア２４は、受器に滑動可能に連結されていてもよく、更に別の実施形態において、ハウジングは、本発明はそのように限定されないので、ドアを含んでいなくてもよい。。示された通り、ハウジングは、バレル３０２の実質的な部分を取り囲んでいてもよい。しかしハウジングが、異なって構成されてもよいこと、および例えば分配デバイス３００がリミッター１０内にある時に、バレル３０２がよりよく見えるように、ハウジングが１つ以上の開口部を含んでいてもよいことも企図される。
【００２１】
一実施形態において、ドア２４は、分配デバイス３００のバレル３０４の実質的な部分を視覚的に遮断するために提供されている。部分用量が、患者に投与された後、医薬品の一部は、バレル３０４内に残留する。患者がこの医薬品を再使用しようと試みるという懸念がある。分配デバイス３００の再使用は、医薬品の滅菌性を損なう場合があり、感染を潜在的に誘導し得る。このため、ドア２４を提供して残りの医薬品を覆うことで、患者がデバイス３００を再使用する可能性を低下させてもよい。
【００２２】
ハウジングおよびカラーが、先に議論されたが、本体２０および止め具４０が、本発明がそのように限定されないので、異なって配列され得ることも企図され得ることは、理解されるべきである。
【００２３】
図７〜１０に示された通り、分配デバイス３００内の媒体の部分用量が、患者に正確に送達され得るように、リミッター１０が構成されている。特にリミッター１０は、プランジャー３０４がバレル３０２内に移動可能で媒体を針３０６内に押出して、液体がデバイス３００から排出され得るように、構成されている。止め具４０は、プランジャー３０４の移動を可能にするように配列されている。止め具４０は、液体の所望の部分用量を提供するように配置されてもよく、プランジャー３０４の更なる移動を予防するように配列されている。これに関連して、プランジャー３０４は、分配デバイス３００のバレル３０２内に移動可能で、媒体の部分用量を針３０６内に押出すことができる。プランジャー３０４が、止め具４０と接触すると、プランジャー３０４の更なる移動が予防され、これは更なる媒体が分配されるのを予防する。止め具４０の高さＨ１を変動させることにより、プランジャー３０４が分配方向Ａに移動する所定の距離Ｄを制御して媒体を分配させ、こうして制御された部分用量を分配し得ることは、当業者に理解されよう。
【００２４】
この特定の例示的実施形態において、止め具は、端部の壁を有し、それはプランジャー３０４の端部に接触するように構成されたソケット４４を形成するように凹んでいることで、プランジャーの分配方向への更なる移動を妨げる。この例示的実施形態において、カラーは、実質的にＣ字形であり、ソケットは、実質的にＣ字形である。しかし、本発明がそのように限定されないので、他の形状および構成も企図されることは、理解されるべきである。例えば、正方形、楕円形、三角形および不規則な形状も、企図される。この例示的実施形態において、止め具４０の外部形は、ソケット４４の形状と実質的に同一である。本発明は、止め具４０の形状がソケット４４の形状と異なっている実施形態も企図する。
【００２５】
本発明は、図に示されたカラーの構成に限定されないので、他の止め具の構成も企図される。例えば一実施形態において、止め具４０は、プランジャー３０４の移動と干渉するように設計された、本体２０から延在する１つ以上の突出部を含んでいてもよい。プランジャー３０４が止め具４０と接触すると、プランジャー３０４の更なる移動を遮断または阻害する任意の形状を、止め具４０が含んでいてもよいことは、当業者に理解されよう。
【００２６】
更に調整可能な止め具４０が、提供されてもよい。止め具４０は、１つの特定のリミッター１０を用いて、分配デバイス３００から分配され得る媒体の量を調整するように調整可能であってもよい。先に述べられた通り、止め具４０は、プランジャー３０４を、送達される媒体の所望の量に相関させて、所定の距離Ｄ移動させるように構成されている。止め具４０の高さＨ１は、プランジャーが移動し得る所定の距離Ｄを変動させるように調整可能であってもよい。例えば止め具４０は、伸縮自在の部分を含んでいてもよい。止め具４０が調整可能となり得る様々な方法が存在することは、当業者に理解されよう。
【００２７】
図２〜４に示された通り、ハウジングは、分配デバイスのバレル３０２をハウジング内に配置および／または保定するように構成された、少なくとも１つのリブ３２、３４を含んでいてもよい。１つの例示的実施形態において、ハウジングは、ハウジングの第一の端部２６に配置された第一のリブ３２を含む。このリブ３２は、受器２２内に配置されていてもよく、バレル３０２の上部と係合するように構成されていてもよい。リブ３２は、弾力性があってもよく、それにより屈曲して、ハウジング内での分配デバイス３００のスナップ嵌め配列を提供することができる。
【００２８】
第二のリブ３４が、ハウジング内の第二の端部２８に配置されていてもよい。例示された通り、第二のリブ３４は、開口部３０の付近の受器内に配置されていてもよく、分配デバイス３００のバレル３０２の下部と係合するように構成されていてもよい。一実施形態において、第二のリブ３４は、実質的にＣ字形であり、バレルの外形と心合わせされている。図３〜４に示された通り、バレル３０２の下部は、バレル３０２を分配デバイスの針３０６に連結するように構成されたフランジ３０８を含んでいてもよい。第二のリブ３４は、フランジ３０８の外径よりも小さいことで、針３０６がハウジング内に滑動するのを防ぐように構成されていてもよい。
【００２９】
リミッター１０は、分配の間にフィンガーグリップを提供するように構成された１つ以上の部品を含んでいてもよい。先に述べられた通り、そのようなフィンガーグリップは、分配デバイスの取り扱いを促進することができる。１つの例示的実施形態において、本体２０は、分配の間にフィンガーグリップを提供するように配列された、少なくとも１つの外方に延在するアーム５０、５２を含む。この例示的実施形態において、ハウジングの第一の端部２６に配置された２つのアーム５０、５２が存在し、アーム５０、５２のそれぞれの下側５４、５６は、フィンガーチップの輪郭に適合するように曲がった外形を有する。
【００３０】
リミッター１０は、以下の通り使用されてもよい：分配デバイス３００の少なくとも一部は、リミッター１０の本体２０に据え付けられていてもよい。リミッターが、ドア２４を含む場合、ドアが開口されて、リミッターに関するデバイス３００の定置を容易にしてもよく、ドア２４はその後、閉鎖されてもよい。リミッターが、１つ以上のリブ３２、３４を含む場合、リブは、デバイスを本体２０内で配置および／または係合するために用いられてもよく、リブは、スナップ嵌めを提供するように構成されていてもよい。デバイス３００は、針３０６を含んでいてもよく、針３０６は、バレル３０４に既に連結されていてもよく、そのような場合、任意の安全キャップが取り外されてもよく、針３０６が患者の身体に注射されてもよい。一実施形態において、針３０６は、バレル３０４から脱離されて届いてもよく、デバイス３００がリミッター１０に据え付けられた後に、針３０６が、コネクター３０８を通してバレルに連結されてもよい。分配デバイス３００が、針３０６を含んでいなくてもよく、媒体が、デバイス３００から排出されてもよいことは、認識されるべきである。患者または介護者は、プランジャー３０４を押出して、プランジャーを、分配方向Ａに所定の距離Ｄ、滑動させ、それにより媒体を分配する。プランジャー３０４が、プランジャー３０４の分配方向への更なる移動を防ぐように構成された止め具４０と接触するまで、媒体が分配されてもよい。その後、デバイス３００およびリミッター１０は、廃棄されてもよい。
【００３１】
先に述べられた通り、リミッター１０は、分配デバイス３００から分配された媒体の量を限定するように構成されている。一実施形態において、媒体は、医薬品、例えば非限定的に様々な薬物療法剤および／または抗生物質である。一実施形態において、リミッター１０は、多発性硬化症（ＭＳ）の症状を防ぐために用いられるインターフェロンβ−１ａ筋肉注射であり、ＭＳ患者の障害発症を遅延させることもできる、Ｂｉｏｇｅｎ  Ｉｄｅｃにより製造されるＡｖｏｎｅｘ（登録商標）と共に用いられてもよい。本発明は、特定の媒体を有する分配デバイスでの使用に限定されないことは、当業者に認識されよう。先に議論された通り、媒体は、例えば液体形態、気体形態、および／または固体形態（粉末形態など）であってもよい。リミッターが、本発明がそのように限定されないので、他の非医薬物質の分配を限定するために用いられても良いことも、認識されるべきである。
【００３２】
リミッター１０、１００、２００が、前もって充填した分配デバイス、例えば非限定的に前もって充填したシリンジと組み合わせて先に議論された。本発明が、前もって充填したデバイスでの使用に限定されないので、リミッター１０、１００、２００が、手動で充填された分配デバイスと共に使用されてもよいことは、理解されるべきである。
【００３３】
リミッター１０は、本発明はそのように限定されないので、様々な方法で製造して作製してもよい。一実施形態において、止め具４０は、本体２０と一体として形成されている。別の実施形態において、２つの部品が別個に形成され、その後、当業者に公知の方法、例えば非限定的に接着剤、機械的締結具、または溶接により一緒に固定されてもよい。一実施形態において、本体２０および止め具４０は、成形されたプラスチックから製造されており、リミッター１０は、例えば射出成形されていてもよい。
【００３４】
先に述べられ図１に示された通り、分配デバイス３００から送達される媒体量を限定するために、複数のリミッター１０、１００、２００を有するキットが、提供されてもよい。リミッター１００、２００は、先に記載され図２〜１０に示されたリミッター１０と実質的に同様であるように構成されていてもよい。しかし図１に示された通り、止め具４０、１４０、２４０の高さＨ１、Ｈ１２Ｈ３は、変動してもよい。先に述べられた通り、止め具４０の高さを変動させることにより、プランジャー３０４が分配方向に移動する所定の距離Ｄを制御し、こうして制御された部分用量を分配することができる。この例示的実施形態において、第一のリミッター１０は、最も長い止め具４０を有し、こうして液体の最小用量を提供するように構成されている。この第一のリミッター１０は、液体の初期用量が医薬品の副反応を最小限にするように構成されていてもよい。この例示的実施形態において、第三のリミッター２００は、最短の止め具２４０を有しており、こうしてより大きな用量を提供するように構成されていてもよい。第二のリミッター１００は、第一の止め具４０よりも短いが第三の止め具２４０よりも長い止め具１４０を有し、こうして第一のリミッター１０により提供される用量よりも大きく、第三のリミッター２００により提供される用量よりも小さい部分用量を提供するように構成されている。一実施形態において、キットは、複数の分配デバイス３００を更に含み、１つの分配デバイス３００が、各リミッター１０、１００、２００に提供されてもよい。
【００３５】
一実施形態において、リミッター１０、１００、２００は、１つの前もって充填したシリンジで単回使用されるように構成されており、使い捨てとして設計されている。リミッターの部品が、デバイス３００内の媒体と直接接触するべきでなないので、患者と外部で接触し得るに過ぎないため、リミッター１０、１００、２００は、再使用のために構成され得ることも企図される。
【００３６】
本発明の様々な実施形態が、先に記載された特色の１つ以上で形成され得ることは理解されるべきである。本発明の先の態様および特色は、任意の適切な組み合わせで用いることができ、本発明はこれに関して限定されない。図面が、様々な部品および特色を示しており、それらが本発明の様々な実施形態に組み入れられ得ることも、理解されるべきである。簡便化のために、図面の幾つかは、１つを超える選択的特色または部品を例示している場合がある。しかし本発明は、図面に開示された特定の実施形態に限定されない。本発明が、任意の一図面に例示された部品のほんの一部を含み得る実施形態を包含すること、および／または複数の異なる図面に例示された部品を組み合わせた実施形態も包含し得ることが、認識されるべきである。
【００３７】
本発明の様々な実施形態の前述の記載を単に例示とすること、および本発明の他の実施形態、改良、および均等物が、添付の特許請求の範囲に引用された発明の範囲内であることは、理解されるべきである。
【図１】
2019069261.tif 000003
【図２】
2019069261.tif 000004
【図３】
2019069261.tif 000005
【図４】
2019069261.tif 000006
【図５】
2019069261.tif 000007
【図６】
2019069261.tif 000008
【図７】
2019069261.tif 000009
【図８】
2019069261.tif 000010
【図９】
2019069261.tif 000011
【図１０】
2019069261.tif 000012
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
分配デバイスのバレルの少なくとも一部と共に据え付けるように構成および配列された本体と；
前記本体から延在する止め具と、
を含む分配デバイスのためのリミッターであって、
前記止め具が、前記分配デバイスのプランジャーを、前記分配デバイスから送達される媒体の所望の容量に相関させて、分配方向に所定の距離、移動させるように構成されており、
前記止め具が、前記プランジャーの分配方向への更なる移動を防ぎ、それにより前記分配デバイスから送達される媒体の量を限定するように構成されている、分配デバイスのためのリミッター。
【外国語明細書】
2019069261000001.pdf